(57)【要約】      （修正有）【課題】蓋と囲繞容器とから成り、シール界面に圧着をもたらして、外部応力下で密封性を有する収容システムを提供する。【解決手段】収容システム１は、成形したリム７領域と、個別のリム領域および個別の閉止蓋部材に係合する密封多重ヒンジ蓋システムと有する囲繞容器２を含む。閉止蓋部材は、囲繞容器と、任意選択でヒンジ動作可能に係合可能であり、任意選択の段階的閉止または同時閉止をもたらす。リム７−蓋３界面および蓋−蓋界面は、密封を助けるために不連続である。適応的ガスケット構成が、強化された密封を可能にする。各実施形態では、相互嵌合構成が、蓋と成形リムとが相互嵌合する、隣接する個別の接触領域および蓋の間に、積極的な圧着をもたらし、収容システムに空気および水分への耐性をもたらす。任意選択の適応的ヒンジ１５が、蓋の揺動円弧全体にわたって積極的な蓋の位置決めを可能にし、同様に、動作可能な積重ねを可能にする。【選択図】図１
0003182866.tif 000002
【実用新案登録請求の範囲】
【請求項１】
連続的リムを有する囲繞容器と、
前記連続的リムに係合する密封蓋システムと、
前記連続的リムに対して前記密封蓋システムを積極的に押し付けるための相互嵌合プロフィール機構であって、前記積極的に押し付けるための相互嵌合プロフィールが、前記囲繞容器に対して前記密封蓋システムを動作可能かつ連続的に固定密封することを可能にする、相互嵌合プロフィール機構と、
前記密封蓋システムの少なくとも一部に伸びる少なくとも１つの溝プロフィールと、
を備え、
前記溝プロフィールが、前記密封蓋システムの上面に対して陥凹したものとして画定される陥凹通路を含み、それにより、前記密封蓋システム上で受けられる外部材料が、収容システムの前記密封蓋システムおよび前記連続的リムから離れるように前記陥凹通路を通って伝わる、収容システム。
【請求項２】
前記密封蓋システムが、少なくとも第１の蓋部材および第２の蓋部材をさらに備え、
前記積極的に押し付けるための手段が、前記少なくとも第１の蓋部材と第２の蓋部材との間の蓋密封をさらに備え、それにより、前記積極的に押し付けるための手段が、連続的蓋間シールを含むように前記動作可能かつ連続的に固定密封することを可能にする、請求項１に記載の収容システム。
【請求項３】
前記蓋部材のうちの前記少なくとも１つが、完全にシールされる位置から完全な開位置まで運動円弧を通って通過することを可能にする、前記囲繞容器と前記蓋部材のうちの少なくとも１つの蓋部材との間で枢動可能に動作するヒンジ手段をさらに備え、
前記囲繞容器に対する前記運動円弧に沿った少なくとも１つのユーザ選択位置において、前記ヒンジ手段が前記蓋部材のうちの前記少なくとも１つの蓋部材を支持することを可能にするための摩擦手段を、前記ヒンジ手段が含む、請求項２に記載の収容システム。
【請求項４】
前記密封蓋システムを前記積極的に押し付けるための手段が、前記第１および前記第２の蓋部材の同時閉止と、前記第１および前記第２の蓋部材の段階的閉止とのうちの一方を可能にするように動作し、それにより、前記連続的蓋間密封が維持される、請求項３に記載の収容システム。
【請求項５】
前記第１の蓋部材と前記第２の蓋部材との間の前記蓋密封が、
前記第１の蓋部材を前記連続的蓋間シールで前記第２の蓋部材と固定するための手段のための、第１の屈曲する蓋固定手段をさらに備え、
前記第１の屈曲する蓋固定手段が、前記第１および第２の蓋部材のうちの一方から他方の蓋部材に向かって延びかつ弾性材料で形成される、屈曲する延出蓋タブ部材を含み、
雄型および雌型の掛止部材のうちの一方が、前記第１および第２の蓋部材のうちの前記一方の上に存在し、
前記雄型および雌型の掛止部材のうちの他方が、前記第１および第２の蓋部材のうちの他方の上に存在し、
延出タブ部材が、前記雄型および雌型の掛止部材のうちの前記一方に隣接し、それにより、使用中に、前記延出タブ部材の屈曲性が、前記雄型および雌型の掛止部材を解除し、前記延出タブ部材の付勢復帰の屈曲性が、前記第１の蓋部材を前記連続的蓋間シールで前記第２の蓋部材と固定させるための前記手段に係合するように動作可能な前記雄型および雌型の掛止部材を再び係合する、請求項２に記載の収容システム。
【請求項６】
前記連続的リムに対して前記密封蓋システムを前記積極的に押し付けるための手段が、
前記密封蓋システムを前記囲繞容器の前記連続的リムに固定するための第１の屈曲するリム固定手段をさらに備え、
前記第１の屈曲するリム固定手段が、前記連続的リムに隣接する前記密封蓋システムから延びかつ弾性材料で形成される、屈曲する延出リムタブ部材を含み、
雄型および雌型の掛止部材のうちの一方が、前記第１の屈曲するリムタブ部材および前記連続的リムのうちの前記一方の上に存在し、
前記雄型および雌型の掛止部材のうちの前記他方が、前記屈曲するリムタブ部材および前記連続的リムのうちの前記他方の上に存在し、
前記屈曲するリムの延出タブ部材が、前記雄型および雌型の掛止部材のうちの前記一方に隣接し、それにより、使用中に、前記屈曲するリムの延出タブ部材の屈曲性が、前記雄型および雌型の掛止部材を解除し、前記屈曲するリムの延出タブ部材の付勢復帰の屈曲性が、前記密封蓋システムを前記連続的シールで前記連続的リムと固定させるための前記第１の屈曲するリム固定手段に係合するように動作可能な前記雄型および雌型の掛止部材を再び係合する、請求項５に記載の収容システム。
【請求項７】
前記密封蓋システムから連続的に延びる、延出ガスケット部材と、
前記連続的リムに隣接する前記囲繞容器の上の受け領域とをさらに備え、
前記受け領域が、使用中に、前記延出ガスケット部材の一部を受けるように動作する形状を有し、それにより、前記囲繞容器に対する前記密封蓋システムの前記動作可能で連続的な密封が維持される、請求項１に記載の収容システム。
【請求項８】
前記密封蓋システムから前記連続的リムに向かって突出する、延出腕部材と、
前記延出腕部材の一端に隣接する前記延出ガスケット部材とをさらに備え、
前記延出腕部材が、前記使用中に、前記受け領域における密封位置内のブッシングの静止位置を乱すように屈曲し、前記囲繞容器に対する前記密封蓋システムの前記動作可能で連続的な密封を維持するように、前記使用中に連続的な付勢力をもたらす、請求項７に記載の収容システム。
【請求項９】
前記第１の蓋部材と前記第２の蓋部材との間の前記蓋密封に沿った二重密封プロフィールをさらに備え、
前記二重密封プロフィールが、前記第１の蓋部材および前記第２の蓋部材それぞれの上に、雄型突出プロフィールおよび雌型受けプロフィールを含む、請求項２に記載の収容システム。
【請求項１０】
前記二重密封プロフィールが、前記第１の蓋部材の上に、前記雄型突出プロフィールのうちの１つおよび前記雌型受けプロフィールのうちの１つを含み、前記第２の蓋部材が、第１および第２の雌型受けプロフィールをそれぞれ含み、
それにより、前記第１および第２の蓋部材の間の前記蓋密封が、少なくとも２つの相互嵌合密封プロフィールの動作可能な係合を含む、請求項９に記載の収容システム。
【請求項１１】
前記二重密封プロフィールが、前記第１の蓋部材および前記第２の蓋部材のそれぞれの上にガスケット部材を含み、
それにより、前記第１および前記第２の蓋部材の間の前記蓋密封が、前記ガスケットの動作可能な圧力係合を含む、請求項９に記載の収容システム。
【請求項１２】
雄型突出プロフィールを有する連続的リムを有する、収容するための密閉領域と、
前記連続的リムに係合する受け密封閉止システムと、
前記連続的リムに対して前記密封閉止システムを積極的に押し付けるための手段と、
を備え、
それにより、前記積極的に押し付けるための手段が、収容するための前記密閉領域に対して前記密封閉止システムを動作可能かつ連続的に固定密封することを可能にする、収容システム。
【請求項１３】
前記密封蓋システムが、
少なくとも第１の蓋部材および第２の蓋部材をさらに備え、
前記積極的に押し付けるための手段が、
前記少なくとも第１の蓋部材と前記第２の蓋部材との間の蓋密封をさらに備え、
それにより、前記積極的に押し付けるための手段が、少なくとも使用する連続的蓋間シールを含むように前記動作可能かつ連続的に固定密封することを可能にする、請求項１２に記載の収容システム。
【考案の詳細な説明】
【技術分野】
【０００１】
関連出願の相互参照
本出願は、参照によりその全内容が本明細書に組み込まれる、２０１１年４月２５日に出願した米国特許出願第６１／４７８７４５号に関し、その優先権を主張するものである。
【０００２】
本考案は、一般に、収容システム（ｃｏｎｔａｉｎｍｅｎｔ  ｓｙｓｔｅｍ）、およびこの収容システムに適用可能な密封システム（ａｄａｐｔｉｖｅ  ｓｅａｌｉｎｇ  ｓｙｓｔｅｍ）に関する。特に、本考案は、成形リム（ｓｈａｐｅｄ  ｒｉｍ）領域を有する囲繞容器（ｂｏｕｎｄｅｄ  ｃｏｎｔａｉｎｅｒ）と、リム領域に係合する密封蓋システム（ｓｅａｌｉｎｇ  ｌｉｄ  ｓｙｓｔｅｍ）とを有する収容システムに関し、リム領域では、閉止蓋部材が、段階的閉止または同時閉止（ｓｔａｇｅｄ  ｏｒ  ｓｉｍｕｌｔａｎｅｏｕｓ  ｃｌｏｓｉｎｇ）、あるいは任意選択でガスケット係合（ｇａｓｋｅｔ  ｅｎｇａｇｅｍｅｎｔ）で一体閉止（ｕｎｉｔａｒｙ  ｃｌｏｓｉｎｇ）するように任意選択でヒンジ動作可能に係合される。相互嵌合構成（ｉｎｔｅｒｆｉｔｔｉｎｇ  ａｒｒａｎｇｅｍｅｎｔ）が、蓋および成形リムが相互嵌合する、隣接する個別の接触領域に積極的な圧着（ｐｏｓｉｔｉｖｅ  ｃｏｍｐｒｅｓｓｉｖｅ  ｕｒｇｉｎｇ）をもたらし、空気および水分への耐性をもたらす。
【背景技術】
【０００３】
「収容すること」を意味する用語「容器」は、１７世紀にさかのぼることができるが、その用語は、２０世紀初めまで剛性の成形容器を表すために使用されなかった。一般に、樹脂、ガラス、金属、他を含む任意の適切な材料で作られる容器、または任意選択で「トート（ｔｏｔｅ）」は、本、道具、おもちゃ、および他の遊興用具を限定なしに含む、多様な日常的な物を保持するように構成されるある種の容器である。また、容器は、食料品、飲料およびトートの中で通常互いに積み上げられる他の比較的小さな物品を輸送するために支持する容積（ｓｕｐｐｏｒｔｉｎｇ  ｖｏｌｕｍｅ）として使用されてもよい。さらに、便利に保管するために、使用の合間に複数の開いた容器および閉じた容器を積み重ねることが、望ましいと理解されている。言い換えれば、容器は、種々のいくぶん平凡な物および物品のための日常の運搬手段（ｅｖｅｒｙｄａｙ  ｃａｒｒｉｅｒ）である。
【０００４】
種々の方法で、容器または「トート」の内部へのアクセスに対して安全にすることも珍しいことではない。容器のための多数の安全確保機構（ｓｅｃｕｒｉｎｇ  ｍｅｃｈａｎｉｓｍ）すなわち「蓋（ｌｉｄ）」が、種々の出版物で開示されている。おそらく、最も良く知られている構成のうちの１つが、成形樹脂容器構成（例えば、射出成形）が始まった１９６０年代以来、Ｔｕｐｐｅｒｗａｒｅ（登録商標）によって提供されてきた。典型的なＴｕｐｐｅｒｗａｒｅ（登録商標）の容器は、外部リム周りに延びる平行側面を有する、（基部（ｂａｓｅ）から）上に向かって突出する剛性の舌部材（ｔｏｎｇｕｅ  ｍｅｍｂｅｒ）を有する、成形された容積（底皿（ｂｏｔｔｏｍ  ｄｉｓｈ））を含む。分離可能な（例えば、完全に取り外せる）蓋は、典型的には平坦であり、舌部材を滑動可能に係合するための対応する平行側面を有する、（基部に向かって）下方に突出する雌型スロット開口（ｆｅｍａｌｅ  ｓｌｏｔ  ｏｐｅｎｉｎｇ）を有する外縁を有する。
【０００５】
そのようなＴｕｐｐｅｒｗａｒｅ（登録商標）の舌／スロット構成（ｔｏｎｇｕｅ−ａｎｄ−ｓｌｏｔ  ａｒｒａｎｇｅｍｅｎｔ）は、舌−スロット間構成の平行側壁間の摩擦抵抗に専ら基づく密封を提供する。したがって、抵抗は、壁／スロットの高さおよび長さのそれぞれによってのみ、増加し、または減少する。より大きな密封能力は、扱いにくい形状を必要とする。
【０００６】
この従来の構成は、不十分な密封を引き起こし、重量物が積み重ねられたところ、またはそのような平坦な蓋がある距離にわたっており、支持用側壁が後方に離れるところでシールの不足を引き起こした。さらに、そのような舌／スロット構成では、舌／スロット構成のための上部の外部リムが突出するのを免れないので、頂面が平坦でなくなる。したがって、そのような蓋の中央と上部の外部リムとの間で、基部に対する突出高さに違いがあり、このことが、積重ねを困難にする。さらに、そのような蓋は、通常はヒンジ式ではなく取り外し可能であり、したがって、底部材から容易に分離される。
【０００７】
したがって、安全確保機構として、滑り摩擦の長さに基づくのではなく、バネ圧着機能に基づく積極的な連続的接触を有する、美的に魅力がありながら、なお機能的な囲繞容器システムが求められている。
【０００８】
バネ付勢シールが、摩擦ヒンジ構成から離れ、かつ摩擦ヒンジ構成によって乱されることのない、ヒンジ動作可能に固定された蓋部材を有する容器システムに対する別の必要性が存在する。代替の適応的なガスケットを伴う密封構成が、任意選択で、連続的係合に対するバネ付勢力をもたらす。
【考案の概要】
【考案が解決しようとする課題】
【０００９】
したがって、成形リム領域と、リム領域および個別の閉止蓋部材に相互係合する密封蓋システムとを有する囲繞容器を含む、改良された収容システムが求められている。任意選択で囲繞容器とヒンジ動作可能に係合可能であり、リムに固定するための密封隅部構成（ｓｅａｌｉｎｇ  ｃｏｒｎｅｒ  ａｒｒａｎｇｅｍｅｎｔ）を有する、任意選択の段階的閉止または同時閉止をもたらす、閉止蓋部材が必要とされる。適応的ガスケット構成が、ヒンジ式でない蓋システムの閉止を可能にする。
【００１０】
さらに、蓋界面（ｉｎｔｅｒｆａｃｅ）の両方の長さに沿って、隣接する個別の接触領域に積極的な圧着（力）をもたらし、個別の蓋と成形リムとが相互嵌合して、重量のある積重ねの場合のようにかなりの応力の下にあっても、空気および水分への耐性をもたらす、相互嵌合構成が求められている。
【課題を解決するための手段】
【００１１】
上記および他の必要性は、本考案の任意選択の実施形態によって構成される、固定密封蓋（ｓｅｃｕｒｉｎｇ  ｓｅａｌｉｎｇ  ｌｉｄ）および成形リムを有する収容システムによって満足される。本考案の多くの顕著な特徴のうちの１つは、段階的または同時の密封閉止および容器の成形リム領域との圧着のために任意選択でヒンジ式固定される、閉止蓋部材を含む。各実施形態では、相互嵌合構成が、蓋と成形リムとが相互嵌合する、隣接する個別の接触領域に積極的な圧着（力）をもたらし、空気および水分への耐性をもたらす。
【００１２】
本考案の代替の態様が、ヒンジ式でない蓋システムの閉止を可能にする、適応的ガスケット構成を提供する。
【００１３】
本考案の別の代替の態様が、蓋の揺動円弧（ｌｉｄ  ｓｗｉｎｇ  ａｒｃ）全体にわたる積極的な蓋の位置決めを可能にし、また、積重ね物のリムの高さを超えて高くなる蓋の干渉がない、動作可能で便利な積重ねを可能にする、適応的ヒンジを提供する。
【００１４】
本考案の別の代替の態様が、隣接する個別の蓋−容器接触領域を相互嵌合でシールすることに加えて、屈曲する延出タブ部材（ｆｌｅｘｉｎｇ  ｅｘｔｅｎｄｉｎｇ  ｔａｂ  ｍｅｍｂｅｒ）に対するスナップ嵌め固定構成（ｓｎａｐ  ｌｏｃｋ  ａｒｒａｎｇｅｍｅｎｔ）を提供する。
【００１５】
本考案では、収容システムは、成形リム領域と、個別のリム領域および個別の閉止蓋部材に係合する密封蓋システムとを有する囲繞容器を含む。閉止蓋部材は、囲繞容器と、任意選択でヒンジ動作可能に係合可能であり、任意選択の段階的閉止または同時閉止をもたらす。任意選択の適応的ガスケット構成が、ヒンジ式でない蓋システム閉止を可能にする。各実施形態では、相互嵌合構成が、蓋と成形リムとが相互嵌合する、隣接する個別の接触領域に積極的な圧着をもたらし、収容システムに対して空気および水分への耐性をもたらす。任意選択の適応的ヒンジは、蓋の揺動円弧全体にわたる積極的な蓋の位置決めを可能にし、また、動作可能で便利な積重ねを可能にする。
【００１６】
本考案の別の任意選択の実施形態によれば、連続的リムと、連続的リムに係合する密封蓋システムと、連続的リムに対して密封蓋システムを積極的に押し付けるための手段とを有し、それにより、積極的に押し付けるための手段が、囲繞容器に対して密封蓋システムを動作可能かつ連続的に固定密封することを可能にする囲繞容器を備える、収容システムを提供する。
【００１７】
本考案の別の任意選択の代替実施形態によれば、密封蓋システムが、少なくとも第１の蓋部材および第２の蓋部材をさらに備え、積極的に押し付けるための手段が、少なくとも第１の蓋部材と第２の蓋部材との間の蓋密封をさらに備え、それにより、積極的に押し付けるための手段が、連続的蓋間（ｉｎｔｅｒ−ｌｉｄ）シールを含むように動作可能かつ連続的に固定密封することを可能にする、収容システムが提供される。
【００１８】
本考案の別の任意選択の代替実施形態によれば、囲繞容器と蓋部材のうちの少なくとも１つとの間で枢動可能に動作し、蓋部材のうちの少なくとも１つが、運動円弧を通って完全にシールされる位置から完全な開位置まで通過することを可能にする、ヒンジ手段をさらに備え、ヒンジが、囲繞容器に対して、運動円弧に沿って選択された（例えば、完全にまたは部分的に開かれ／閉止される）位置に、蓋部材のうちの少なくとも１つを保持することを可能にするための、任意選択の戻り止め（ｄｅｔｅｎｔ）機構または摩擦機構を、ヒンジ手段が含む、収容システムが提供される。
【００１９】
本考案の別の任意選択の代替実施形態によれば、密封蓋システムを積極的に押し付けるための手段が、第１および第２の蓋部材の同時閉止と、第１および第２の蓋部材の段階的閉止とのうちの一方を可能にするように動作し、それにより、連続的蓋間密封が維持される、収容システムが提供される。
【００２０】
本考案の別の任意選択の代替実施形態によれば、密封蓋システムの少なくとも一部に伸びる少なくとも１つの溝手段をさらに備え、溝手段が、密封蓋システムの上平面に対して陥凹したものとして画定される陥凹通路（ｒｅｃｅｓｓｅｄ  ｐａｓｓａｇｅ）を含み、それにより、密封蓋システム上で受けられる外部材料が、密封蓋システムおよび収容システムから離れるように陥凹通路を通って伝わる、収容システムが提供される。
【００２１】
本考案の別の任意選択の代替の態様によれば、第１の蓋部材と第２の蓋部材との間の蓋密封が、第１の蓋部材を連続的蓋間シールで第２の蓋部材と固定するための手段のための、第１の屈曲する蓋固定手段をさらに備え、第１の屈曲する蓋固定手段が、第１および第２の蓋部材のうちの一方から他方の蓋部材に向かって延びかつ弾性材料で形成される、屈曲する延出蓋タブ部材を含み、雄型および雌型の掛止部材（ｃａｔｃｈ  ｍｅｍｂｅｒ）のうちの一方が、第１および第２の蓋部材のうちの一方の上に存在し、雄型および雌型の掛止部材のうちの他方が、第１および第２の蓋部材のうちの他方の上に存在し、延出タブ部材が、雄型および雌型の掛止部材のうちの一方に隣接し、それにより、使用中に、延出タブ部材の屈曲性（ｆｌｅｘｉｎｇ）が、雄型および雌型の掛止部材を解除し、延出タブ部材の付勢復帰の屈曲性が、第１の蓋部材を連続的蓋間シールで第２の蓋部材と固定させるための手段に係合するように動作可能な雄型および雌型の掛止部材を再び係合する、収容システムが提供される。
【００２２】
本考案の別の任意選択の態様によれば、連続的リムに対して密封蓋システムを積極的に押し付けるための手段が、密封蓋システムを囲繞容器の連続的リムに固定するための第１の屈曲するリム固定手段をさらに備え、第１の屈曲するリム固定手段が、連続的なリムに隣接する密封蓋システムから延びかつ弾性材料で形成される、屈曲する延出リムタブ部材を含み、雄型および雌型の掛止部材のうちの一方が、第１の屈曲するリムタブ部材および連続的なリムのうちの一方の上に存在し、雄型および雌型の掛止部材のうちの他方が、屈曲するリムタブ部材および連続的なリムのうちの他方の上に存在し、屈曲するリムの延出タブ部材が、雄型および雌型の掛止部材のうちの一方に隣接し、それにより、使用中に、屈曲するリムの延出タブ部材の屈曲性が、雄型および雌型の掛止部材を解除し、屈曲するリムの延出タブ部材の付勢復帰の屈曲性（ｆｌｅｘ）が、密封蓋システムを連続的シールで連続的リムと固定させるための第１の屈曲するリム固定手段に係合するように動作可能に、雄型および雌型の掛止部材を再び係合する、収容システムが提供される。
【００２３】
本考案のシステムの任意選択の特徴のさらなる説明
囲繞容器を有する収容システムは、同時閉止蓋部材を有する密封蓋システムを含み、蓋および容器のリムが、動作可能に固定する個別の相互嵌合のために形成され、隣接する個別の接触領域への積極的な圧着を介して空気および水分への耐性をもたらす。
【００２４】
囲繞容器を有する収容システムは、閉止蓋部材を有する密封蓋システムを含み、蓋が、互いに動作可能に固定する個別の相互嵌合のために形成され、隣接する個別の接触領域への積極的な圧着を介して、相互嵌合の間に空気および水分への耐性をもたらす。
【００２５】
囲繞容器を有する収容システムは、段階的閉止蓋部材を有する密封蓋システムを含み、蓋および容器のリムが、段階的密封方式で動作可能に固定する相互嵌合のために形成され、隣接する個別の接触領域への積極的な圧着を介して空気および水分への耐性をもたらす。
【００２６】
囲繞容器を有する収容システムは、容器の一部に伸び、容器にヒンジ式で連結される、対向する密封蓋を設けられた一体の中央蓋部材を含み、蓋、容器のリム、および一体の中央蓋部材が、動作可能に固定する相互嵌合のために形成され、隣接する個別の接触領域への積極的な圧着を介して空気および水分への耐性をもたらす。
【００２７】
囲繞容器に対する収容システムは、囲繞容器および個別の蓋部材に隣接するガスケット相互嵌合領域と共にそれぞれ配置された、複数のヒンジ式固定された蓋部材を有する、ヒンジ式固定された密封蓋システムを含み、隣接する個別の接触領域への積極的な圧着を介して、動作可能な空気および水分への耐性をもたらす。
【００２８】
囲繞容器を有する収容システムは、前記囲繞容器のリムとの積極的な連続的接触をもたらす密封蓋システムを含み、それにより、積極的な連続的付勢接触が、密封蓋システムが閉止される間、維持される。
【００２９】
囲繞容器を有する収容システムは、囲繞容器とのガスケット相互嵌合領域を含む密封蓋システムを含み、隣接する個別の接触領域への積極的な圧着を介して空気および水分への耐性をもたらす。
【００３０】
囲繞容器を有する収容システムは、ヒンジ式固定された密封蓋システムを含み、個別のヒンジ要素が、前記密封蓋システムの個別の蓋に対して動作可能な枢動抵抗をもたらし、それにより、蓋位置が、枢動抵抗を介して囲繞容器に対して揺動円弧にわたって随時、維持されてもよい。
【００３１】
囲繞容器を有する収容システムは、動作可能に固定する相互嵌合のための密封蓋および容器のリムの構成をもたらすヒンジ式の密封蓋システムを含み、隣接する個別の接触領域への積極的な圧着を介して連続的に接触させ、空気および水分への耐性をもたらし、それにより、ヒンジ式機能要素が、蓋システムの密封機能要素から独立し、したがって、代替のヒンジ構造に容易に適応可能となる。
【００３２】
収容キットシステムは、囲繞容器部材および密封蓋システムを含み、それにより、密封蓋システムおよび囲繞容器部材のリムは、係合に引き続いて共に連続的圧着をもたらすように成形され、囲繞容器部材全体に対して空気および水分への耐性をもたらし、一方で付加的に、密封蓋システムは、囲繞容器部材から分離されて、異なる適切に成形された囲繞容器部材と係合されてもよい。
【００３３】
囲繞容器および少なくとも１つの枢動接続されたヒンジ式密封蓋システムを有する収容システムが、隣接する個別の接触領域への積極的な圧着を介して空気および水分への耐性の構成をもたらし、それにより、複数の収容システムが、蓋が開いた状態でコンパクトな組立体に、相互に積み重ねられうる。
【００３４】
囲繞容器および少なくとも１つの枢動接続されたヒンジ式密封蓋システムを有する収容システムが、隣接する個別の接触領域への積極的圧着を介して空気および水分への耐性の構成をもたらし、それにより、排水溝（ｄｒａｉｎａｇｅ  ｃｈａｎｎｅｌ）が蓋システムの一部に沿って形成され、蓋システムの外部位置から離れた、蓋システムの内部位置付近で受けられた流体を、囲繞容器および接触領域から離れた所に排水するように動作するのに効果的である。
【００３５】
容器施栓系（ｃｏｎｔａｉｎｅｒ  ｃｌｏｓｕｒｅ）でない収容システムは、個別の密封接触界面に沿って、第１の閉止部材と閉止受容器（ｃｌｏｓｕｒｅ  ｒｅｃｅｉｖｅｒ）部材との間に密封界面を伴う。第１の閉止部材および閉止体受容器部材は、流体容器（例えば、コーヒーマグ、飲料水ボトル）、製品容器（例えば、食品の瓶およびカン、または化粧品ケース）、消費者製品に対する窓もしくは扉の界面（例えば、冷蔵庫、冷凍庫、食器洗浄機、洗濯機の扉、他）、または家、ビルディング、車、飛行機、船、他（ここで、ビルディング、家、車、他は容器であり、扉および窓は蓋である）に対する界面を含む、広範な限定されない多様な消費者品目を代表するものとして理解されたい。このようにして、本開示が、本考案の範囲および趣旨から逸脱することなく異なる背景（ｓｅｔｔｉｎｇ）に適合されてもよいことは、本開示全体を研究した当業者には理解されよう。
【００３６】
囲繞容器および少なくとも１つの枢動接続されたヒンジ式密封蓋システムを有する収容システムは、保管しながら使用する物品（ｓｔｏｒｉｎｇ  ｕｓｅ  ａｒｔｉｃｌｅ）（例えば、家庭用品）のための囲繞容器内で、または囲繞容器にヒンジ式で装着されて、取り外し可能−固定可能な、個別に成形された保管部材を提供する。そのような個別に成形された保管部材は、付加的に、蓋部材または容器に固定されてもよく、蓋部材または容器に対して取り外し可能であってもよく、または固定されてもよい。このようにして、提案される本考案は、囲繞容器の密封蓋システムおよび保管部材を含む、より大きなシステムを含む。保管部材は、皿、一連の容器（ｈｏｌｄｅｒ）もしくは皿、個別のポケット、または収容システムに関連するユーザの物品を保管するための任意の他の種類の囲繞容器もしくは固定部材であってもよい。例えば、ランチトートは、その中に、蓋に固定され、内面もしくは外面に固定され、またはその中に単に取り外し可能に収容される、食器容器もしくは食物容器を含んでよい。
【００３７】
本考案の上記および他の態様、特徴および利点は、以下の説明を、同じ参照番号が同じ要素を示す添付の図面と併せ読めば、明らかとなろう。
【００３８】
本考案は、本明細書で提示される具体的な実施形態の詳細な説明を、以下の図面と併せて参照することによって、より良く理解されるであろう。
【図面の簡単な説明】
【００３９】
【図１】段階的蓋開放または段付き蓋開放を示す、本考案の第１の実施形態の斜視図である。
【図２】部分的開位置における、動作中の図１の部分的斜視図である。
【図３】部分的開位置における、動作中の図２の部分的斜視図である。
【図４】蓋と容器との接触領域に沿った蓋−容器密封付勢を示す、図１の部分切り取り図である。
【図５】連続的シールを示す、図１における切り口（Ｓｅｃｔｉｏｎ）５−５に沿った部分断面図である。
【図６】連続的シール力（ｓｅａｌｉｎｇ  ｆｏｒｃｅ）（Ｆ）に対する柔軟なシールリップ（ｓｅａｌｉｎｇ  ｌｉｐ）を示す、図５の部分拡大図である。
【図７】完全な連続接触のための、突出した雄型部材全体に沿った、連続的な付勢シール力Ｆを示す、図１における切り口７−７に沿った、部分的に切り取られた蓋の断面図である。
【図８】代替のヒンジ設計および密封構成を例示する、図１における切り口８−８に沿った例示的部分断面図である。
【図９】固定タブ係合を例示する、図１における切り口９−９に沿った例示的な代替の部分断面図である。
【図１０】ユーザが掴みやすいように固定タブが下方に突出する、図９に類似する位置の代替の部分断面図である。
【図１１】容易で確実な積重ねのための、蓋システム表面に沿った平坦な積重ね平面（ｓｔａｃｋｉｎｇ  ｐｌａｎｅ）の有用性を示す、積重ねシステム（ｓｔａｃｋｅｄ  ｓｙｓｔｅｍ）の例示的拡大斜視図である。
【図１２】漏出後の滞留水分（ｓｔａｎｄｉｎｇ  ｍｏｉｓｔｕｒｅ）を除去しかつ蓋構成が積み重ねられた容器と干渉しない、蓋システムに沿って延びる露出した排水溝の例示的使用を提供する、図１１における領域１２の拡大図である。
【図１３】提案されるシステムが、いかにして、蓋構造の干渉を保有することなく相互積重ね（ｉｎｔｅｒ−ｓｔａｃｋｉｎｇ）を可能にするかを例示する、蓋システムが開いた状態で複数の容器が積み重ねられたシステムの例示的な図である。
【図１４Ａ】本考案に適用される代替のヒンジ構造の一例の図である。
【図１４Ｂ】本考案に適用される代替のヒンジ構造の別の一例の図である。
【図１５】丸みを帯びた容器に対する第１の実施形態の例示的適合を示す図である。
【図１６】同時のまたは連続的な開過程（ｏｐｅｎｉｎｇ  ｐｒｏｃｅｓｓ）を可能にする、本考案の第２の代替実施形態の斜視図である。
【図１７】密封のための連続的付勢またはバネ張力をもたらすための、連続的雄型−雌型相互嵌合、および容器リップの丸められた縁部と滑らかに丸みを帯びた雄型部材の端部フィーチャとの係合を示し、この構造がさらに、容器の側面から側面までの蓋−蓋シール（ｌｉｄ−ｌｉｄ  ｓｅａｌ）に沿った張力を可能にすることが分かる、図１６の部分切り取り断面図である。
【図１７Ａ】１つの蓋が開位置に、１つの蓋が閉位置に示される、陥凹縁部（ｃｏｎｃａｖｅ  ｅｄｇｅ）に沿った代替の連続的雄型−雌型相互嵌合に関する例示的部分切り取り斜視図である。
【図１７Ｂ】丸められた雄型端部を受け、それにより、雄型−雌型の、または任意選択で雄型−雌型の、蓋の相互嵌合が確立されうる、蓋の陥凹縁部の箱入り端部（ｂｏｘｅｄ  ｉｎ  ｅｎｄ）を示す、図１７Ａの部分正面断面図である。
【図１８】排水溝および密封のための連続的相互嵌合を示す、図１７における１８−１８の方向の図として再び示される、図１６における切り口１８−１８に沿った部分断面図である。
【図１９】排水溝を有する二重雄型と二重雌型との相互接続を示し、それにより、対向する引っ張り方向Ｔ、Ｔにおいて示される二重付勢密封をもたらす、図１６における切り口１９−１９に沿った、代替の蓋相互嵌合構造を示す図である。
【図２０】延出タブ部材およびスナップ嵌め固定タイプ相互嵌合構造が追加の固定安全性をもたらす、図１６における切り口２０−２０に沿った代替の蓋相互嵌合構造を示す図である。
【図２１】延出タブ部材が上方に曲げられて、積極的なスナップ嵌め固定タイプの相互嵌合を解除する、図２０の使用中バージョンを示す図である。
【図２２】蓋部材の分離を示し、図１６に紹介される同時または連続的蓋開／閉の実施形態を例示する、図２１の他の使用中バージョンを示す図である。
【図２３】本考案の連続的シールおよび係合を保持しながらガスケットベース密封の実施形態として提供され、このバージョンが、固定用側面タブおよび連続的天蓋の内周周りの連続的ガスケットを例示する、本考案の代替の一実施形態を示す図である。
【図２４】密封プロフィールから分離するヒンジ構造を有する代替のガスケットの図の、代替の例示的部分拡大断面図である。
【図２５】側面排水を示す、内部連続的ガスケットを有する連続的天蓋の使用中の図であり、断面Ａが、滑らかな内壁を有する連続的ガスケット密封を例示し、断面Ｂが、側壁プロフィールが、ガスケットプロフィールを補完するように生成され、それにより、付勢密封接続が改良される、代替の連続的ガスケットバージョンを例示する、図である。
【図２６】各蓋が連続的な側壁に係合し、蓋−蓋界面が、閉止時にリップシールを形成するように２つの連続的ガスケットが存在する、２つの折り畳み蓋を設けられた、別の代替のガスケットの実施形態を示す図である。
【図２７】蓋の重なりおよびガスケット−ガスケット密封が示され、重なって係合する部材が、排水溝と同時に設けられ、ガスケットおよび蓋部材に対する支持が、耐久性を高める用途（ｒｕｇｇｅｄｉｚｉｎｇ  ｕｔｉｌｉｔｙ）に対して、より剛体の樹脂材料からなる、図２６のビュー２７における拡大図である。
【図２８】各蓋部材から突出する側面固定タブが、使用中に容易に手が届き、それにより、さらなる固定付勢圧縮が可能になるように描かれる、別の代替のガスケットの実施形態を示す図である。
【図２９】容器の側壁が、頂部ヒンジを形成するように成形され、連続的ガスケットが各蓋に提供され、固定付勢圧縮のために、成形された容器側壁プロフィールの中に（圧縮されて）置かれる、別の代替のガスケットの実施形態を示す図である。
【図３０】本考案の他の代替実施形態の側面図である。
【図３１】切断線の向きを示す、図３０の上面図である。
【図３２】図３１における切り口３２−３２に沿った中間の断面図である。
【図３３】図３１における切り口３３−３３に沿ったヒンジの断面図である。
【図３４】蓋構成の許容差の形状を示す、開いた蓋を有する図３０と同様の、一連の積み重ねられた代替実施形態の上面図である。
【図３５】蓋の隙間（ｃｌｅａｒａｎｃｅ）の構成を示す、図３４における切り口３５−３５に沿った断面図である。
【図３６】天蓋が部分的に開かれ（ヒンジ機構内に成形された戻り止め機構によって保持され）、下蓋が底容器のリム周りでシールされた状態で、下蓋およびリムによって密封するためにシールされ固定される状態にある斜視的下方形状を示す、図３０と同様の実施形態の部分斜視図である。
【図３８】本考案の密封形状の交わりを示す、図３７の天蓋の部分下面図である。
【図３９】連続的容器リム、および共にシールされ、固定される状態を示す、共にシールされた天蓋および底蓋（底容器は示されず）の部分下面図である。
【考案を実施するための形態】
【００４０】
次に、正確な縮尺の通りではない添付の図面の中に例示される、本考案のいくつかの実施形態が、詳細に参照される。可能な限り、同じまたは類似の参照番号は、図面および説明において、同じまたは同様の部品またはステップに言及するために使用される。図面は、簡素化された形態であり、そこでは、例示的な写実的システムまたはキット（ｋｉｔ）を表し、正確な縮尺の通りではない。便利で分かりやすくするためだけの目的で、頂部の（ｔｏｐ）、底部の（ｂｏｔｔｏｍ）、上向きに（ｕｐ）、下向きに（ｄｏｗｎ）、覆って（ｏｖｅｒ）、上に（ａｂｏｖｅ）、下に（ｂｅｌｏｗ）、または近くに（ｎｅａｒ）、他など、方向に関する用語が図面に対して使用されてもよい。上記および類似の方向または距離に関する用語は、いかなる形においても、本考案の範囲を制限するものと解釈されるべきではない。単語「接続する（ｃｏｎｎｅｃｔ）」、「結合する（ｃｏｕｐｌｅ）」、およびそれらの屈折形態素（ｉｎｆｌｅｃｔｉｏｎａｌ  ｍｏｒｐｈｅｍｅ）を有する類似の用語は、必ずしも、直接的な、直に接する接続を意味するものではなく、間接的な要素または機器を介する接続を含む。代替の一実施形態の文脈において論じられる要素が、本考案の範囲および趣旨を逸脱することなく、他の代替実施形態のうちのいくつかと適応的に、代替として組み合わされてもよいことも理解されよう。
【００４１】
本考案は収容システムであり、成形リム領域、ならびに個別のリム領域および個別の閉止蓋部材に係合する密封蓋システムを有する囲繞容器を含む。閉止蓋部材は、囲繞容器と、任意選択でヒンジ動作可能に係合可能であり、任意選択の段階的閉止、同時閉止またはガスケットによる閉止をもたらす。各実施形態では、相互嵌合構成が、蓋と成形リムとが相互嵌合する、隣接する個別の連続的接触領域に積極的な圧着をもたらし、収容システムに対して空気および水分への耐性をもたらす。任意選択の適応的ヒンジは、蓋の揺動円弧全体にわたって積極的な蓋の位置決めを可能にし、同様に、動作可能で便利な積重ねを可能にする。
【００４２】
次に、図１を参照すると、段階的密封収容システム１の第１の代替実施形態が、底蓋３Ａおよび天蓋３Ｂとして示される蓋システム３を有する容器２を含む。個別の蓋３Ａ、３Ｂは、後で論じられるように、外周周りでかつ蓋間の界面に沿った、連続的なプロフィールに成形される。この実施形態では、固定スナップ嵌めハンドル延出部４が、天蓋３Ｂから突出する。蓋持ち上げハンドル５が、底蓋３Ａ上に示されるが、蓋３Ａ、３Ｂに沿った任意の位置に代替として設置されてもよいことは、当業者には理解されたい。溝プロフィール６が、後で論じられるように、底蓋３Ａ上に設けられる。収容システム１が、本考案の趣旨および範囲に沿う任意の代替実施形態を採用してもよいことが理解されよう。代替の作動状態の（ｌｉｖｅ）ヒンジ１５が、蓋側面のいずれかの上に提示される。
【００４３】
次に図２および図３を参照すると、収容システム１が、部分的に開いた蓋３Ａ、３Ｂと共に示され、底蓋３Ａは、閉位置にある（図２）かまたは部分的開位置にある（図３）。この実施形態は、段階式閉止または順序的閉止（ｓｅｑｕｅｎｃｅｄ  ｃｌｏｓｉｎｇ）を例示することが理解されよう。容器２は、例示されるように、雄型表面すなわち積極的な表面を形成する、丸められた上部連続壁すなわちリム７を含む。蓋３Ａ、３Ｂのそれぞれは、側面部周りに、閉位置において接続する付勢相互嵌合が存在するように、リム７と同様の補完的プロフィールを有する、個別の連続的な雌型面プロフィールすなわち消極的な面プロフィール８を含む。ここで、プロフィールは、受ける雌型プロフィールが雄型プロフィールよりわずかに狭く（ｔｉｇｈｔｅｒ）、それにより、相互嵌合中の張力がもたらされるように、半円／部分円である。リム７およびプロフィール８は、外側のリム領域周りに連続であるので、外側シールは、閉位置において連続である。
【００４４】
底蓋３Ａは、各リム側面に対する蓋−蓋界面距離全体に沿って、同様に延びる（ｅｘｔｅｎｄ）かまたは伸びる（ｓｐａｎ）、雄型プロフィール突出部９と共に形成される。天蓋３Ｂ上に、連続的相互嵌合のために突出プロフィール９を動作可能に受けるように成形された、補完的雌型受け面プロフィールすなわち消極的面プロフィール１０が存在する。補完的底部縁部プロフィール１１および頂部縁部プロフィール１２が個別の蓋の上に表され、それにより、各蓋の縁部間の界面において、両プロフィールが、互いの上を締め付ける（ｓｑｕｅｅｚｅ）ばかりでなく、リムプロフィール７の締め付けを支援して、各界面において動作可能な連続的付勢をもたらすことも理解されよう。両蓋３Ａ、３Ｂの上の陥凹領域１２、１２は、（溝６と共に）追加の排水路として、または便利な構造フィーチャとして設けられる。
【００４５】
次に図４および図５を参照すると、部分断面図および断面図が、蓋−蓋およびリムの界面に沿って提示される。１３で示される、リム７とプロフィール８との間の連続的相互嵌合接触が、リム−蓋の界面に沿って連続的に延びることに留意されたい。同様に、１４で示される、蓋３Ａと３Ｂとの間の連続的蓋−蓋相互嵌合接触が、界面に沿って延びる。
【００４６】
次に図６を参照すると、連続構成で形成することが、一体構成において異なる密度および曲げ率（ｍｏｄｕｌｕｓ  ｏｆ  ｆｌｅｘ）を併発することは、樹脂の当業者には理解されよう。したがって、Ｆで表示されるような下向きの力が、連続シール１３および１４を形成する、リム７上に閉止する蓋３Ｂによって提示される。縁部リップ部材１６は、連続的シールのために、蓋３Ａ、３Ｂの順序的閉止の間に圧縮されるものと理解される。
【００４７】
次に、図１における切り口７−７に沿った断面図である図７を参照すると、同様の圧縮シール力Ｆ、ＦおよびＦが、リム７と、個別の突出形体１１および１２の間との間の雄型−雌型相互嵌合シールに沿って連続的に例示され、それにより、部材１２が、個別の蓋３Ａ周りでリムプロフィール７を覆って連続的に湾曲するので、連続的な圧着力が存在することが理解されよう。
【００４８】
次に図８を付加的に参照すると、容器２からのリム７の連続的な延出部を介して作動状態の構成を示すヒンジ１５の部分図が提示される。この実施形態では、実質的にリム７の幅に沿って、同様にまた、受けプロフィール（ｒｅｃｅｉｖｉｎｇ  ｐｒｏｆｉｌｅ）８によって容器２の周囲周りに、連続的シール１３が作られることが理解されうる。
【００４９】
次に図９を参照すると、図示のように、ハンドル部材４および重複する相互鎖錠（ｉｎｔｅｒｌｏｃｋ）に関する、図１からの部分断面図が示される。この実施形態では、図示のように、ハンドル４は、容器２から離れるように外側に、蓋３Ｂ（図１参照）から突出し、リム７の端縁部（ｔｅｒｍｉｎａｌ  ｅｄｇｅ）に係合する、突出するクリップ固定（ｃｌｉｐ  ｌｏｃｋ）部材１７を含む。解除するために、ユーザは、ハンドル部材４を引っ張り（持ち上げ）、クリップ固定部材１７を解除して天蓋３Ｂを取り外す。
【００５０】
次に図１０を参照すると、任意選択で代替の構造を示す、図９に類似の代替部分断面図が提供される。ここで、図示のように、ハンドル４’が、蓋３Ｂから離れるように下方に突出し、代替のクリップ固定１７’が設けられて、同様にリム７に係合する。使用中、ユーザがハンドル部材４’を引っ張り、クリップ固定部材１７’を解除し、天蓋３Ｂを取り外す。
【００５１】
次に図１１および図１２を参照すると、積み重ねられた位置にある２つの収容システム１が示される。表示されるように、蓋３Ａ、３Ｂの組立体が、個別の収容システムの平坦な底面を受け、排水を支援するために、（くぼみまたは溝６、他を有する）平坦な頂部平面を有する蓋３をもたらす。例示のように、頂部の収容システムからの何らかの液漏れは、溝６内の流体１９として受けられ、次いで流体１９は、溝６を外面および溝６の丸みを帯びた終端（ｔｅｒｍｉｎａｌ  ｅｎｄ）まで進み（ｔｒａｖｅｒｓｅ）、最終的に床の上に移動する。このようにして、本考案は、こぼれた物質が受けられ、直ちに個別の蓋から外に移動するという重要な改良を提供する。その結果、物質がさらに浸透する危険がなく、（食物を）腐敗させるかまたは（苛性物質もしくは酸性物質による）損傷を生じる何らかの集積の機会を与えることもない。
【００５２】
次に図１３を参照すると、一連の、蓋を開いた状態でぴったりと重なる（ｎｅｓｔｉｎｇ）収容システム１が描かれる。本考案は、使用と使用との間に簡便かつ迅速に、最小寸法で積み重ねることができることが理解されよう。
【００５３】
次に図１４Ａおよび図１４Ｂを参照すると、代替のヒンジ構造が、本考案によって、かつ本考案から逸脱することなく可能となる。図１４Ａでは、図示のように、ヒンジ組立体１５’が、挿入される滑動ピン２１によってヒンジ式の締まりばめ（ｉｎｔｅｒｆｅｒｅｎｃｅ  ｆｉｔ）を受ける、２つの補完的な円弧形状の間隔を置かれた部分２０Ａ、２０Ｂの形で設けられる。部分２０Ａ、２０Ｂおよびピン２１は、蓋頂部７と、底蓋部材３Ａ（および個別の蓋部材３Ｂ（図示されず））における受け溝（ｒｅｃｅｉｖｉｎｇ  ｃｈａｎｎｅｌ）との間に相互圧縮をもたらすように寸法決めされる。図１４Ｂでは、側面のリム７から突出する雌型枢動部材２３、２３と枢動可能に相互嵌合する、補完的な雄型部材対２２、２２を有するヒンジ組立体１５’’が示される。
【００５４】
ヒンジ部材１５、１５’および１５’’に伴って、個別の蓋３Ａ、３Ａが、ヒンジの引っ張り／摩擦によってユーザ所望の位置に位置決めされ保持される（例えば、開に保持されるかまたは部分的閉に保持される）ことができるように、空間および位置が、十分な摩擦許容範囲をもたらすように配置されるか、または任意の円弧揺動（ａｒｃ−ｓｗｉｎｇ）を通る、形成された戻り止め機構を含んでよいことが、当業者には理解されよう。さらなる使用に当たって、ユーザは、本考案から逸脱することなく、蓋３Ａ、３Ｂを同様に再配置することができる。このようにして、一方の蓋が、例えば、垂直の位置に保持されてもよく、同時に、他方の蓋が、使用を助けるために、リム７に対して鋭角または鈍角に保持されてもよい。
【００５５】
次に図１５を参照すると、本考案の代替実施形態が、丸みを帯びた形状の収容システム１’として提供される。容器２’は、作動状態のヒンジ１５’’’を介して丸みを帯びた底蓋３Ａ’および天蓋３Ｂ’にヒンジ式で接続される、連続的な丸みを帯びた上部リム７’を有する。作動状態のヒンジ１５’’’は、容器２’と蓋３’との間の、一体的に成形された柔軟な部材である。図示のように、丸みを帯びた天蓋３Ｂ’がハンドル４’を有し、底蓋３Ａ’が溝６’を有する。このようにして、代替の適応的な収容システムの形状が、本考案の範囲および趣旨から逸脱することなく、本考案によって完全に可能となることが、当業者には理解されよう。
【００５６】
次に図１６および図１７を参照すると、後で論じられるように、雄型／雌型相互鎖錠延出部を覆うために個別の蓋部材を同時に閉止することを可能にする、代替の本考案による収容システム３０が提供される。突出する固定部材が、延出蓋プロフィール内に隠されてもよく、それにより、滑らかで連続的な外観がもたらされることが、さらに理解されよう。
【００５７】
容器３１は、蓋部材３３Ａと蓋部材３３Ｂとに分割された蓋３３を含む（後続の図面に示される相互嵌合構造とは違って、この構造は、効果的に、連動閉止または同時閉止と呼ばれる閉止を可能にするので、天および底は存在しない）。容器３１は、前に論じられたプロフィールと類似の丸みを帯びたプロフィールを有する、上部の連続的リム３７を含む。図示のように、代替の動作可能なヒンジ組立体３５、３５が設けられる。図１６および図１７に示されるように、動作可能な溝部３６を有する蓋部材３３Ｂが、設けられる。図示のように、補完的陥凹４１を有する持ち上げ領域４０が、ユーザの利便性のために各蓋３３Ａ、３３Ｂの上に設けられる。
【００５８】
３４に示される連続的相互嵌合継ぎ目（ｓｅａｍ）が、連続的リム部材３７を、個別の蓋３３Ａ、３３Ｂの個別の受け陥凹部すなわち雌型部４２、４２と係合させて、相互嵌合継ぎ目３４を生成する。前の実施形態と同様に、誤って開くことに対して耐性のあるスナップ嵌め密封嵌合タイプの囲繞（ｅｎｃｌｏｓｕｒｅ）をもたらすように、要素が効果的に寸法決めされてもよい（すべての実施形態）ことは、当業者には理解されよう。蓋３３Ａ、３３Ｂの間の相互嵌合が、同様に、連続継ぎ目３２であることが、同様に理解されよう。
【００５９】
図１７から直接理解されるように、連続的継ぎ目３２は、蓋３３Ｂの蓋−蓋界面の全長に沿って（例えば、リム３７の上を覆い、下方に湾曲してリム３７の全表面と係合し、連続的シール３４を維持するために）延びる、連続的な丸みを帯びた突出部３８の係合を伴う。図示のように、個別の連続的雌型溝３８’が、連続的突出部３８との連続的スナップ嵌め係合のために、蓋３３Ａ上に提示される。溝３８’が、連続的密封のためにリム３７の上に同様に延びていることが、同様に理解されよう。
【００６０】
次に代替として図１７Ａおよび図１７Ｂを参照すると、丸められた雄型縁部を受けるために、蓋の陥凹縁部の箱入り型の端部（ｂｏｘｅｄ  ｉｎ−ｔｙｐｅ  ｏｆ  ｅｎｄ）を確立する、部分的に切り取られた例示的な斜視図または正面図が提示される。このようにして、雄型−雌型の、または任意選択で雄型−雌型の蓋の相互嵌合が、本考案の範囲および趣旨から逸脱することなく確立されうる。図示のように、基部３１Ｃが、丸められた基部リップ３７Ｃ周りで閉位置にある第１の蓋３３Ｃと共に示される。基部３１Ｃの幅にわたって伸び、丸められた基部リップ３７Ｃを完全に覆って丸くなる、連続的雌型区画３８Ｃが提示される。把持リップ（ｇｒｉｐｐｉｎｇ  ｌｉｐ）４０Ｃは、前のリップに類似し、任意選択の陥凹４１Ｃが、ユーザの利便性のために確立される。連続的陥凹の雌型円弧プロフィール３８Ｃは、丸められた基部リップ端３７Ｃに対して完全に丸くなり、対向する基部３１Ｃの側面を完全に押し付けて把持するように超えて延びる。必然的に、雌型区画３８Ｃの最終端（ｆｉｎａｌ  ｔｅｒｍｉｎａｌ  ｅｎｄ）３８Ｃ’は、雌型陥凹プロフィール３８Ｃの端部（ｅｎｄｉｎｇ）を受け、同時にまた、把持端３７Ｃを完全に受けるように成形され、完全に閉じられるかまたは完全に保持されるものとみなされるべきであるが、最終端の形状は、本考案の目的を達成するために適切な任意の形状を取ってもよい。このようにして、現在の同時閉止の界面形状は、雄型−雌型／雌型−雄型プロフィールを反転させてもよく、本考案の範囲および趣旨の中にある、他の付勢引っ張り−密封の形状を選択してもよいことを、当業者なら理解するであろう。
【００６１】
次に図１８を参照すると、蓋３３Ａと蓋３３Ｂとの間の連続的シール３２、ならびに個別の蓋３３Ａ、３３Ｂとプロフィール３７との間の連続的シール３４を示す、図１６および図１７における切り口１８、１８に沿った相互嵌合が示される。再び、正確な形状が縮尺の通りでない可能性があるか、または必要な付勢密封を達成するために、本考案の教示の範囲内で改変される可能性があることが、理解されよう。
【００６２】
次に図１９を参照すると、断面図から理解されるように、連続的継ぎ目３２が、相互嵌合シールを共に押し付けるように動作する、Ｔ−Ｔにおける引っ張り力の間の圧着に沿って蓋間に提供される。図１９に示されるように、雄型／雌型プロフィール３８、３８’が連続的に延び、第２の組の雄型／雌型プロフィール３８Ａ／３８Ｂも同様に延びることが、同様に理解されよう。このようにして、蓋３３Ａ、３３Ｂが、二重の雄型／雌型相互嵌合接続によって連結される。
【００６３】
次に、特に図２０〜図２２を参照すると、蓋３３Ａから、蓋３３Ｂの一部を覆って突出する、屈曲する延出タブ部材４４が示され、個別の雄型／雌型係合３８Ａ／３８Ｂは、今度は、スナップ嵌め−固定係合（図示）として輪郭を描かれる。図２１に表示されるように、使用中、屈曲するタブ部材４４が持ち上げられて、スナップ嵌め−固定係合を解除する。この構成は、本考案の範囲および趣旨の中で、蓋３３Ａ、３３Ｂを共にシールするため、および容器３１に対して効果的な、さらに動作可能な相互嵌合固定をもたらす。
【００６４】
次に図２３〜図２９を参照すると、代替の実施形態および構造における、ガスケットタイプの連続的シールが提示される。
【００６５】
図２３〜図２５では、収容システム５０が、容器５１および単一蓋部材５２を含む。図示のように、連続的に延びるリム部５３が、容器５１の頂部リムに沿って突出する。連続的に延びるエラストマガスケット部材５４が、蓋部材５２の内面に固定され、容器５１内に内側に突出し、または柔軟な蓋のストーク（ｓｔａｌｋ）５５から任意選択で突出してもよく（図２４、図２５）、容器５１のリム５３と接触するときに、ガスケット部材５４周りに連続的に、柔軟な付勢を可能にする。適応的ヒンジ構造５６が、蓋５２を容器５１の上で、取り外し可能に固定する（図２４）。あるいは、突出するタブ部材５７が、蓋５２の外周に沿って延びて、蓋５２を取り外すために、ユーザが持ち上げる指のかかりを可能にする。
【００６６】
図２５の断面Ｂから理解されるように、連続的な蓋５２および重なり合うタブ部材５７によって、排水は、容易に容器５１の外にこぼれる。確実な密封係合および任意選択でスナップ嵌めタイプの係合をもたらすために、リム５３のプロフィールが、ガスケット５４のプロフィールを補完し、受けるように成形されてもよいことも、包囲体を研究した当業者には理解されよう。
【００６７】
次に図２６〜図２９を参照すると、ここに示されるように、蓋部材６０、６１を有する、他の任意選択で代替のガスケット関連の実施形態が提示され、例えば、シリコンまたは他のガスケットが、さらなる空気および水分への耐性のために、リム上または蓋上に設けられる。容易に理解されるように、図示のように、容器リム５３と、蓋６０、６１の個別の隣接部とを、同時に密封するように係合させるために、個別の蓋ガスケット６２、６２が、個別の蓋６０、６１それぞれの全内面周りに設けられる。
【００６８】
蓋６０から延びる覆いの突出部６５が、蓋−蓋相互嵌合ガスケット接続に対する覆いをもたらし（図２７）、蓋６１から延びる溝突出部６６と同時に係合し、それによって図示のように溝６７を生成して、前に論じたものと同様の流出物耐性を可能にする。蓋６０、６１に対する個別の蓋突出部７０、７０が、蓋−蓋界面に隣接するガスケット６２、６２に対する付勢耐性をもたらし、それにより、連続的に押し付けるガスケットの継ぎ目をもたらすことは、当業者には理解されよう。
【００６９】
次に直接図２８を参照すると、前に論じたリム５７が、個別の蓋６０、６１に対する２つの追加の固定突出部７１、７１を含む。本開示を研究することから理解されるように、リム５３は、固定突出部７１、７１との固定係合をもたらすように、補完的に成形されてもよく、それにより、個別の蓋６０、６１がさらに固定される。
【００７０】
次に付加的に図２９を参照すると、湾曲した溝として形成される代替のリムプロフィール７５を有する容器５１が、ここに適応的に形成される（図示のとおり）。ここに、湾曲した溝７５は、「雌型」プロフィールであり、容器５１の外周を連続的に取り巻く「雄型」ガスケットプロフィールを受ける。同様に、ガスケット−ガスケット密封相互嵌合が、蓋−蓋縁部に沿って存在する。
【００７１】
次に図３０〜図３９を参照すると、底蓋１０３Ａおよび天蓋１０３Ｂとして示される蓋システム１０３を有する容器１０２を含む、段階的密封の収容システム１００の、任意選択で代替の本考案の実施形態が提供される。個別の蓋１０３Ａ、１０３Ｂは、後で論じられるように、外周周りに、蓋間界面に沿って、連続的プロフィールで成形される。この実施形態では、スナップ嵌め閉止フィーチャ（ここでは図示されないが、前に論じられ、本明細書に組み込まれる）４を含んでよい、蓋１０３Ａ、１０３Ｂそれぞれの上の閉止ハンドル１０４が、蓋１０３Ａ、１０３Ｂから突出する。溝プロフィール１０６が、後で論じられるように、底蓋１０３Ａ上に設けられる。収容システム１００が、本考案の趣旨および範囲を保有する中で、任意の代替実施形態を採用してもよいことが理解されよう。代替のヒンジ機構１１５が、蓋の両側面に提示され、図１４Ａに示されるものと同様のヒンジシステムから成るが、一体型ピン部材を有し、かつ任意選択で、ユーザが指定する使いやすい位置に個別の蓋１０３Ａ、１０３Ｂを保持するために、摩擦抵抗システムかまたは一体型の戻り止めタイプのシステムのいずれかを有する。
【００７２】
次に図３６〜図３９を直接参照すると、部分的に開かれる蓋１０３Ａ、１０３Ｂを有し、底蓋１０３Ｂが閉じられている（図３６）、収容システム１００が示される。この実施形態は、段階式閉止または順序的閉止を例示することが理解されよう。容器１０２は、断面図（図３２および図３３）、ならびに各オープンビュー（図３５および図３６）に例示されるように、雄型面すなわち積極的な面を形成する、成形された、丸められた連続的上部壁すなわちリム１０７を含む。蓋１０３Ａ、１０３Ｂのそれぞれは、閉位置において、容器１０２の頂部全体の周りに、接続付勢相互嵌合が存在するように、連続リム１０７に応じて補完的プロフィールを有する、個別の連続的雌型面プロフィールすなわち消極的な面プロフィール１０８を、側面部周りに含む。ここで、プロフィールは、受けの雌型プロフィール１０８が、連続的雄型プロフィール１０７よりわずかに狭く、それにより、ハンドル１０４を使用して押しながら相互嵌合させる間に引っ張りがもたらされるように、（一般的に、３面で）直線的に構成される（ｂｅ  ｒｅｃｔｉｌｉｎｅａｒ）。蓋１０３Ａ、１０３Ｂそれぞれの上のリム１０７およびプロフィール１０８は、外側のリム領域の周りで連続であるので、外部シールは、閉位置において連続である。本考案の範囲および趣旨から逸脱することなく、さらなる空気および水の密封のために、柔らかいシリコン成形部材の形体の任意選択のガスケット（図示されず）が、プロフィール１０７または内部プロフィール１０８に沿って存在してもよいことが理解されよう。
【００７３】
リム１０７の各リム側面まで蓋−蓋界面の距離全体に沿って同様に延びるかまたは伸びる、雄型プロフィール突出部１０９を有する底蓋１０３Ａが、形成される。さらに、十分な剛性を加えるために、強化リブ部材１０９Ａが、蓋１０３Ａ（底蓋）上の突出部１０９および溝部１０６に沿ってさらに延びる。リブ部材１０９Ａは、蓋１０３Ａの各側面上のプロフィール１０８と一体的に連結され、それにより、例えば積重ねによって圧力を受けるとき、そのような応力を、堅固な接続を介してプロフィール１０８、したがってリム１０７に伝え、そのような応力に耐えることが理解されよう。このようにして、蓋部材１０３の強度が、十分に改良される。
【００７４】
容器１０２全体に伸びる連続的相互嵌合のために、底蓋１０３Ａ上の突出プロフィール１０９の外面を動作可能に受けるように成形された、補完的雌型受け面プロフィールすなわち消極的な面プロフィール１１０が、天蓋１０３Ｂ上に存在する。補完的底部縁部の外面プロフィール１１１および天蓋内部の内部プロフィール１１２が個別の蓋の上に示され、それにより、蓋の縁部それぞれの間の界面において、両プロフィールが、互いの上を締め付けるばかりでなく、リムプロフィール１０７の締め付けを支援し、各界面において動作可能な連続的付勢をもたらすことも理解されよう。内部突出プロフィール１０９、１１０が個別のリムプロフィール１０７に接近するときに、内部突出プロフィール１０９と１１０との間が接触しないように、連続的にプロフィール１０８と共に形成された阻止部材（ｂｌｏｃｋｉｎｇ  ｍｅｍｂｅｒ）１０８Ａが、底蓋１０３Ａの各端部上に存在する（図３９参照）。さらに、陥凹１０８Ｂが、阻止部材１０８Ａとプロフィール１０８の外面との間に形成され（図３９参照）、リム１０７の上を交差するプロフィール１０９、１１２の端部と交差する、プロフィールにおける差を満たすために余分な材料または樹脂が必要となるのが避けられる。
【００７５】
さらに、閉止の間にプロフィール１０９を受けることを可能にするために、天蓋１０３Ｂ部材の両側面に、切り欠き領域１１３Ａが存在する（図３６が最も分かりやすい）。このようにして、部材１０９、１０９Ａ、１１０が延び、底蓋１０３Ａおよび天蓋１０３Ｂをリムプロフィール１０８およびリム１０７と適合させる。このようにして、溝−リムシステム１０７、１０８は、蓋−蓋界面１０９、１１０から完全に動作可能に分離されるが、それらによって共に動作する。さらに、結果として、（閉じられたときに）蓋−蓋界面に沿って加えられる圧力が、蓋−蓋界面を分離させることなく、リム１０７に伝えられる。
【００７６】
さらに、これらの図面に示されるように、蓋１０３Ａ、１０３Ｂそれぞれの上に、蓋プロフィール領域（ｌｉｄ  ｐｒｏｆｉｌｅ  ｒｅｇｉｏｎ）１１３が存在する。組合せでは、これらの蓋プロフィール領域１１３は、ヒンジ１１５からの突出距離との組合せで、複数の開かれた蓋１０３が、干渉することなく相互に積み重なり、リム１０７の頂部高さを超えて高くなる／積み重なることを可能にする（図３５が最も分かりやすい）。このことが、小さくまとめた梱包および輸送貯蔵の助けとなる。しかし、密な詰め込みは、同時に、分離を困難にし、その結果、複数の離隔部材（ｓｔａｎｄｏｆｆ  ｍｅｍｂｅｒ）１２０が設置され、本明細書では容器１０２の各隅部に見られる。離隔部材１２０は、形状、寸法、または位置を制限されないが、容器１０２と一体成形され、（この実施形態では）約２〜３ｍｍの厚さであって、容器１０２の外壁と内壁との間を分離し、したがって容易な分離を妨げるであろう両壁間の真空を阻止することが可能になる。
【００７７】
次に図３３および図３７〜図３９を参照すると、プロフィール１０８の側壁が、プロフィール１０７からプロフィール１０７まで延び、蓋縁部１３０（図３３、図３９参照）において始まり、蓋縁部１０３に至る蓋重なり合い領域において相互嵌合するように、さらに改変されてもよいことが理解されよう。蓋プロフィール１０８、１０９、および１１０、ならびにそれらの関連する面が、リム１０７に係合するためのスナップ嵌め接続またはリップとして連結する形状を含んでよいことが理解されよう。
【００７８】
積極的な圧着または付勢またはスナップ嵌め固定または個別に積極的な圧縮手段という表現（ｐｈｒａｓｅ）は、正（ゼロより大）のバネ圧縮力が、力が連続的に付勢されて共に押し付ける２つの個別の接触領域の間に生み出される構成を表示することが、当業者には理解されよう。したがって、非制限的な例として、第１の内部半径を有するＣ字形部材が開かれ、次いで、バネで閉止され、第２の外部半径を有するＯ字形部材周りに固定される。積極的な圧縮力を確実にするために、第１の内部半径は、第２の外部半径に近いがそれより小さく、その結果、Ｏ字形部材周りに連続的な圧着（締め付け）をもたらす。
【００７９】
本考案は、説明され、例示された特別な構成に限定されるものではない。説明された実施形態は排他的ではなく、本考案の範囲は、他の異なる構成および構造を含む。説明され示された特定の構造および構成からの発展は、当業者にひとりでに想到するものであり、本考案から逸脱することなく使用されうることは明らかである。したがって、本考案は、本明細書で提供されるはつめいてき技術的特徴の説明の範囲内に入りうるすべての改変形態と符合するものと解釈されるべきである。例えば、蓋−蓋相互嵌合プロフィールは、限定されることなく、いくつかの代替実施形態の中に示される。さらに、蓋プロフィールが、蓋がリムの上に隆起することなく多重の積重ねを可能にするために、ヒンジ機構付近に、陥凹領域または傾斜領域と共に示される。
【００８０】
本特許請求の範囲では、ミーンズクローズまたはステップ−プラス−ファンクションクローズは、列挙された機能を実施する、本明細書で説明または提唱された構造物、ならびに構造的等価物のみならず等価構造物をも包含することが意図される。したがって、例えば、釘、ねじおよびボルトは、釘が木部と円筒面との間の摩擦に依存し、ねじのらせん面が木部と積極的に噛み合い、ボルトの頭とナットが木部の対向面を押し付けるという点で、構造的等価物ではないが、木部を締めるという環境の下では、釘、ねじ、およびボルトは、等価構造物であるものとして、当業者には容易に理解されよう。
【００８１】
添付の図面を参照して、本考案の少なくとも１つの好ましい実施形態を説明したが、本考案は、これらの正確な実施形態に限定されるものではなく、種々の変更形態、改変形態、および適応形態が、添付の特許請求の範囲の中で定義される本考案の範囲および趣旨から逸脱することなく、当業者によって本考案の中で達成されうることを理解されたい。
【符号の説明】
【００８２】
１、１’  収容システム
２、２’  容器
３、３’  蓋システム
３Ａ、３Ａ’  底蓋
３Ｂ、３Ｂ’  天蓋
４、４’  固定スナップ嵌めハンドル延長部
５  蓋持ち上げハンドル
６、６’  溝プロフィール
７、７’  リム
８  連続的な雌型面プロフィール
９  雄型プロフィール突出部
１０  補完的雌型受け面プロフィール
１１  補完的底部縁部プロフィール
１２  頂部縁部プロフィール
１３  連続的相互嵌合接触
１４  連続的蓋−蓋相互嵌合接触
１５、１５’、１５’’、１５’’’  ヒンジ
１６  縁部リップ部材
１７、１７’  クリップ固定部材
１８  切り口
１９  流体
２０Ａ、２０Ｂ  補完的な円弧形状の間隔を置かれた部分
２１  滑動ピン
２２  補完的な雄型部材対
２３  雌型枢動部材
３０  収容システム
３１  容器
３１Ｃ  基部
３２  連続継ぎ目
３３  蓋
３３Ａ、３３Ｂ  蓋部材
３３Ｃ  第１の蓋
３４  連続的シール
３５  ヒンジ組立体
３６  溝部
３７  リム
３７Ｃ  基部リップ
３８  連続的な丸みを帯びた突出部
３８Ａ／３８Ｂ  雄型／雌型プロフィール
３８’  連続的雌型溝
３８Ｃ  連続的雌型区画
４０、４０Ｃ  把持リップ
４１、４１Ｃ  陥凹
４２  受け陥凹部
４４  屈曲する延出タブ部材
５０  収容システム
５１  容器
５２  単一蓋部材
５３  リム
５４  ガスケット部材
５５  蓋のストーク
５６  適応的ヒンジ構造
５７  突出するタブ部材
６０、６１  蓋部材
６２  蓋ガスケット
６５  覆いの突出部
６６  溝突出部
６７  溝
７０  蓋突出部
７１  固定突出部
７５  リムプロフィール
１００  収容システム
１０２  容器
１０３  蓋システム
１０３Ａ  底蓋
１０３Ｂ  天蓋
１０４  閉止ハンドル
１０６  溝プロフィール
１０７  リム
１０８  連続的雌型面プロフィール
１０８Ａ  阻止部材
１０８Ｂ  陥凹
１０９  内部突出プロフィール
１０９Ａ  強化リブ部材
１１０  補完的雌型受け面プロフィール
１１１  補完的底部縁部の外面プロフィール
１１２  天蓋内部の内部プロフィール
１１３  蓋プロフィール領域
１１３Ａ  切り欠き領域
１１５  ヒンジ機構
１２０  離隔部材
１３０  蓋縁部
【図１】
0003182866.tif 000003
【図２】
0003182866.tif 000004
【図３】
0003182866.tif 000005
【図４】
0003182866.tif 000006
【図５】
0003182866.tif 000007
【図６】
0003182866.tif 000008
【図７】
0003182866.tif 000009
【図８】
0003182866.tif 000010
【図９】
0003182866.tif 000011
【図１０】
0003182866.tif 000012
【図１１】
0003182866.tif 000013
【図１２】
0003182866.tif 000014
【図１３】
0003182866.tif 000015
【図１４Ａ】
0003182866.tif 000016
【図１４Ｂ】
0003182866.tif 000017
【図１５】
0003182866.tif 000018
【図１６】
0003182866.tif 000019
【図１７】
0003182866.tif 000020
【図１７Ａ】
0003182866.tif 000021
【図１７Ｂ】
0003182866.tif 000022
【図１８】
0003182866.tif 000023
【図１９】
0003182866.tif 000024
【図２０】
0003182866.tif 000025
【図２１】
0003182866.tif 000026
【図２２】
0003182866.tif 000027
【図２３】
0003182866.tif 000028
【図２４】
0003182866.tif 000029
【図２５】
0003182866.tif 000030
【図２６】
0003182866.tif 000031
【図２７】
0003182866.tif 000032
【図２８】
0003182866.tif 000033
【図２９】
0003182866.tif 000034
【図３０】
0003182866.tif 000035
【図３１】
0003182866.tif 000036
【図３２】
0003182866.tif 000037
【図３３】
0003182866.tif 000038
【図３４】
0003182866.tif 000039
【図３５】
0003182866.tif 000040
【図３６】
0003182866.tif 000041
【図３７】
0003182866.tif 000042
【図３８】
0003182866.tif 000043
【図３９】
0003182866.tif 000044
【手続補正書】
【提出日】平成25年2月7日(2013.2.7)
【手続補正１】
【補正対象書類名】実用新案登録請求の範囲
【補正対象項目名】全文
【補正方法】変更
【補正の内容】
【実用新案登録請求の範囲】
【請求項１】
連続的リムを有する囲繞容器と、
前記連続的リムに係合する密封蓋システムと、
前記連続的リムに対して前記密封蓋システムを積極的に押し付けるための相互嵌合プロフィール機構であって、前記積極的に押し付けるための相互嵌合プロフィールが、前記囲繞容器に対して前記密封蓋システムを動作可能かつ連続的に固定密封することを可能にする、相互嵌合プロフィール機構と、
前記密封蓋システムの少なくとも一部に伸びる少なくとも１つの溝プロフィールと、
を備え、
前記溝プロフィールが、前記密封蓋システムの上面に対して陥凹したものとして画定される陥凹通路を含み、それにより、前記密封蓋システム上で受けられる外部材料が、収容システムの前記密封蓋システムおよび前記連続的リムから離れるように前記陥凹通路を通って伝わる、収容システム。
【請求項２】
前記密封蓋システムが、少なくとも第１の蓋部材および第２の蓋部材をさらに備え、
前記積極的に押し付けるための手段が、前記少なくとも第１の蓋部材と第２の蓋部材との間の蓋密封をさらに備え、それにより、前記積極的に押し付けるための手段が、連続的蓋間シールを含むように前記動作可能かつ連続的に固定密封することを可能にする、請求項１に記載の収容システム。
【請求項３】
前記蓋部材のうちの前記少なくとも１つが、完全にシールされる位置から完全な開位置まで運動円弧を通って通過することを可能にする、前記囲繞容器と前記蓋部材のうちの少なくとも１つの蓋部材との間で枢動可能に動作するヒンジ手段をさらに備え、
前記囲繞容器に対する前記運動円弧に沿った少なくとも１つのユーザ選択位置において、前記ヒンジ手段が前記蓋部材のうちの前記少なくとも１つの蓋部材を支持することを可能にするための摩擦手段を、前記ヒンジ手段が含む、請求項２に記載の収容システム。
【請求項４】
前記密封蓋システムを前記積極的に押し付けるための手段が、前記第１および前記第２の蓋部材の同時閉止と、前記第１および前記第２の蓋部材の段階的閉止とのうちの一方を可能にするように動作し、それにより、前記連続的蓋間密封が維持される、請求項３に記載の収容システム。
【請求項５】
前記第１の蓋部材と前記第２の蓋部材との間の前記蓋密封が、
前記第１の蓋部材を前記連続的蓋間シールで前記第２の蓋部材と固定するための手段のための、第１の屈曲する蓋固定手段をさらに備え、
前記第１の屈曲する蓋固定手段が、前記第１および第２の蓋部材のうちの一方から他方の蓋部材に向かって延びかつ弾性材料で形成される、屈曲する延出蓋タブ部材を含み、
雄型および雌型の掛止部材のうちの一方が、前記第１および第２の蓋部材のうちの前記一方の上に存在し、
前記雄型および雌型の掛止部材のうちの他方が、前記第１および第２の蓋部材のうちの他方の上に存在し、
延出タブ部材が、前記雄型および雌型の掛止部材のうちの前記一方に隣接し、それにより、使用中に、前記延出タブ部材の屈曲性が、前記雄型および雌型の掛止部材を解除し、前記延出タブ部材の付勢復帰の屈曲性が、前記第１の蓋部材を前記連続的蓋間シールで前記第２の蓋部材と固定させるための前記手段に係合するように動作可能な前記雄型および雌型の掛止部材を再び係合する、請求項２に記載の収容システム。
【請求項６】
前記連続的リムに対して前記密封蓋システムを前記積極的に押し付けるための手段が、
前記密封蓋システムを前記囲繞容器の前記連続的リムに固定するための第１の屈曲するリム固定手段をさらに備え、
前記第１の屈曲するリム固定手段が、前記連続的リムに隣接する前記密封蓋システムから延びかつ弾性材料で形成される、屈曲する延出リムタブ部材を含み、
雄型および雌型の掛止部材のうちの一方が、前記第１の屈曲するリムタブ部材および前記連続的リムのうちの前記一方の上に存在し、
前記雄型および雌型の掛止部材のうちの前記他方が、前記屈曲するリムタブ部材および前記連続的リムのうちの前記他方の上に存在し、
前記屈曲するリムの延出タブ部材が、前記雄型および雌型の掛止部材のうちの前記一方に隣接し、それにより、使用中に、前記屈曲するリムの延出タブ部材の屈曲性が、前記雄型および雌型の掛止部材を解除し、前記屈曲するリムの延出タブ部材の付勢復帰の屈曲性が、前記密封蓋システムを前記連続的シールで前記連続的リムと固定させるための前記第１の屈曲するリム固定手段に係合するように動作可能な前記雄型および雌型の掛止部材を再び係合する、請求項５に記載の収容システム。
【請求項７】
前記密封蓋システムから連続的に延びる、延出ガスケット部材と、
前記連続的リムに隣接する前記囲繞容器の上の受け領域と、をさらに備え、
前記受け領域が、使用中に、前記延出ガスケット部材の一部を受けるように動作する形状を有し、それにより、前記囲繞容器に対する前記密封蓋システムの前記動作可能で連続的な密封が維持される、請求項１に記載の収容システム。
【請求項８】
前記密封蓋システムから前記連続的リムに向かって突出する、延出腕部材と、
前記延出腕部材の一端に隣接する前記延出ガスケット部材と、をさらに備え、
前記延出腕部材が、前記使用中に、前記受け領域における密封位置内のブッシングの静止位置を乱すように屈曲し、前記囲繞容器に対する前記密封蓋システムの前記動作可能で連続的な密封を維持するように、前記使用中に連続的な付勢力をもたらす、請求項７に記載の収容システム。
【請求項９】
前記第１の蓋部材と前記第２の蓋部材との間の前記蓋密封に沿った二重密封プロフィールをさらに備え、
前記二重密封プロフィールが、前記第１の蓋部材および前記第２の蓋部材それぞれの上に、雄型突出プロフィールおよび雌型受けプロフィールを含む、請求項２に記載の収容システム。
【請求項１０】
前記二重密封プロフィールが、前記第１の蓋部材の上に、前記雄型突出プロフィールのうちの１つおよび前記雌型受けプロフィールのうちの１つを含み、前記第２の蓋部材が、第１および第２の雌型受けプロフィールをそれぞれ含み、
それにより、前記第１および第２の蓋部材の間の前記蓋密封が、少なくとも２つの相互嵌合密封プロフィールの動作可能な係合を含む、請求項９に記載の収容システム。
【請求項１１】
前記二重密封プロフィールが、前記第１の蓋部材および前記第２の蓋部材のそれぞれの上にガスケット部材を含み、
それにより、前記第１および前記第２の蓋部材の間の前記蓋密封が、前記ガスケットの動作可能な圧力係合を含む、請求項９に記載の収容システム。
【請求項１２】
雄型突出プロフィールを有する連続的リムを有する、収容するための密閉領域と、
前記連続的リムに係合する密封蓋システムと、
前記連続的リム及び前記密封蓋システムそれぞれの接触領域間に互いに対する押圧力を生成し、該押圧力を連続的にかけ続ける手段と、
を備え、
前記手段が、収容するための前記密閉領域に対して前記密封蓋システムを動作可能かつ連続的に固定密封することを可能にする、収容システム。
【請求項１３】
前記密封蓋システムが、少なくとも第１の蓋部材および第２の蓋部材をさらに備え、
前記手段が、前記少なくとも第１の蓋部材と前記第２の蓋部材との間の蓋密封をさらに備え、
それにより、前記手段が、少なくとも使用する連続的蓋間シールを含むように前記動作可能かつ連続的な固定密封を可能にする、請求項１２に記載の収容システム。